(57)【要約】【課題】水圧により吐水具が外管から急激に押し出されることのない水栓を提供することにある。【解決手段】水栓本体２に装着されるとともに該水栓本体２内の吐出流路６が連通された基部７と、該基部７に固定された外管８と、該外管８の内側において前記基部７に支持されるとともに前記吐出流路６が連通される内管１０と、該内管１０に対し水密状態で内管１０の中心軸線方向に摺動自在に外嵌された摺動体２０と、一端に吐水具９が接続されるとともに前記内管１０を内包する状態で他端が前記摺動体２０に固定された延出管１７とを備えた水栓であって、前記摺動体２０は、給水時に基部７又は外管８との間に抵抗を発生させる抵抗体２１を設け、吐水具９を外管８から引き出す際に抵抗が付与されるようにした【選択図】  図３
2005016215.tif 000002
【特許請求の範囲】
【請求項１】
水栓本体に装着されるとともに該水栓本体内の吐出流路が連通された基部と、該基部に固定された外管と、該外管の内側において前記基部に支持されるとともに前記吐出流路が連通される内管と、該内管に対し水密状態で内管の中心軸線方向に摺動自在に外嵌され、基部及び外管内の空間を第１環状室と第２環状室とに区画する摺動体と、一端に吐水具が接続されるとともに前記内管を内包する状態で他端が前記摺動体に固定された延出管とを備えた水栓であって、前記摺動体は給水時に基部又は外管との間に抵抗を発生させる抵抗体を設け、吐水具を外管から引き出す際に抵抗が付与されるようにしたことを特徴とする水栓。
【請求項２】
前記摺動体は給水時に水が供給される流路を設け、該流路に抵抗体としてのピストンが配設されたことを特徴とする請求項１に記載の水栓。
【請求項３】
前記摺動体は抵抗体としての割りリングを設け、該割りリングは給水時に第１環状室と第２環状室との間を移動する空気の量を制限する切れ目が形成されたことを特徴とする請求項１に記載の水栓。
【請求項４】
前記内管の基端には支持体が配置され、該支持体と摺動体との間に前記第１環状室を形成し、該第１環状室は基部に設けた空気孔により外部と連通し、摺動体は抵抗体として環状室を区画するパッキンを設け、該パッキンにより第２環状室から第１環状室に流入する空気の量が制限されるようにしたことを特徴とする請求項１に記載の水栓。
【発明の詳細な説明】
【０００１】
【発明の属する技術分野】
本発明は、シャワーヘッドなどの吐水具が、水栓本体から延出された外管から引き出し自在、及び、同外管に押し込み自在に設けられた水栓に関するものである。
【０００２】
【従来の技術】
この種の水栓として、本出願人は、図９に示すように、水栓本体１００から延出するホルダ１０１に、引き出し及び押し込み自在な吐水ヘッド１０２を備えたキッチン用水栓を開発した。このキッチン用水栓は、円筒状に形成されたホルダ１０１の内側に、水栓本体１００内部の吐出流路１０３に連通された内管１０４を有している。図９のＡ部拡大図に示すように、内管１０４は水栓本体１００に装着された基部１０８の挿通孔１０９に対し螺合により固定され、また、吐水ヘッド１０２に接続されたフレキシブル管１０５が摺動自在に装着されている。フレキシブル管１０５の下端には、内管１０４に対しパッキン１０６を介して摺接する環状の摺動体１０７が固定されている。そして、レバー１１０の操作によって水栓本体１００から内管１０４に供給された水は、フレキシブル管１０５を通って吐水ヘッド１０２に供給される。また、吐水ヘッド１０２をホルダ１０１から引き出していくと、摺動体１０７が内管１０４に沿って移動するが、この際摺動体１０７が内管１０４及びフレキシブル管１０５との水密状態を維持する。このため、吐水ヘッド１０２を水栓本体１００から引き出した状態で自由に使うことができる。
【０００３】
【発明が解決しようとする課題】
上記水栓１００は、レバー１１０の操作によって供給された水によって、基部１０８，内管１０４，フレキシブル管１０５の順にそれぞれの内部に圧力がかかる。この状態（給水状態）が続くと、それぞれの内部にかかっている圧力を逃がす方向、即ち、吐水ヘッド１０２を押し出す方向に圧力がかかり、吐水ヘッド１０２がホルダ１０１から急激に押し出されることになる。このように、レバー１１０を操作して給水状態にすると、図１０に示すように、水圧により吐水ヘッド１０２が勝手に飛び出してしまうという不都合があった。
【０００４】
本発明は、上記課題を解決するためになされたものであって、その目的は、水圧により吐水具が外管から急激に押し出されることのない水栓を提供することにある。
【０００５】
【課題を解決するための手段】
上記目的を達成するため、請求項１に記載の発明は、水栓本体に装着されるとともに該水栓本体内の吐出流路が連通された基部と、該基部に固定された外管と、該外管の内側において前記基部に支持されるとともに前記吐出流路が連通される内管と、該内管に対し水密状態で内管の中心軸線方向に摺動自在に外嵌され、基部及び外管内の空間を第１環状室と第２環状室とに区画する摺動体と、一端に吐水具が接続されるとともに前記内管を内包する状態で他端が前記摺動体に固定された延出管とを備えた水栓であって、前記摺動体は給水時に基部又は外管との間に抵抗を発生させる抵抗体を設け、吐水具を外管から引き出す際に抵抗が付与されるようにしたものである。
【０００６】
請求項２では、請求項１記載の発明において、前記摺動体は給水時に水が供給される流路を設け、該流路に抵抗体としてのピストンが配設されたものである。
【０００７】
請求項３では、請求項１記載の発明において、前記摺動体は抵抗体としての割りリングを設け、該割りリングは給水時に第１環状室と第２環状室との間を移動する空気の量を制限する切れ目が形成されたものである。
【０００８】
請求項４では、請求項１記載の発明において、前記内管の基端には支持体が配置され、該支持体と摺動体との間に前記第１環状室を形成し、該第１環状室は基部に設けた空気孔により外部と連通し、摺動体は抵抗体として環状室を区画するパッキンを設け、該パッキンにより第２環状室から第１環状室に流入する空気の量が制限されるようにしたものである。
【０００９】
【発明の実施の形態】
（第１実施形態）
以下、本発明を、キッチン用混合水栓に具体化した第１実施形態を図１〜図４に従って説明する。
図１に示すように、本実施形態の水栓としての混合水栓１は、キッチンカウンターＫＣ上に取り付けられる周知の水栓本体２を備え、この水栓本体２の下側には給水管３及び給湯管４が接続されている。水栓本体２は、レバーハンドル５によって操作される図示しない弁機構を内部に備えている。弁機構は、給水管３から供給される水と、給湯管４から供給される湯とから、レバーハンドル５の操作位置に応じた混合比及び流量の混合水（以下、単に水という。）を生成し、吐出流路６から外部に供給する。
【００１０】
前記水栓本体２には略円筒状の基部７が回転自在に装着され、この基部７の内側には吐出流路６が連通されている。基部７には、斜め上向きに延びる外管としてのホルダ８が固定されている。このホルダ８は基部７と同一内径の円筒状に形成され、その先端には吐水具としての吐水ヘッド９が支持されている。この吐水ヘッド９は周知の吐水具であり、例えばシャワー流と直流との切換式である。
【００１１】
前記ホルダ８の内側には円筒状の内管１０が配置され、内管１０の基端は、基端７内に配置された支持体１１に対し基部７の径方向中心で固定されている。図３に示すように、支持体１１は、吐水ヘッド９側の大径部１２と、水栓本体２側の小径部１３とからなる。大径部１２の外径は基部７の内径よりもやや小さくされ、その外周面の周溝１２ａに装着されたパッキンとしてのＯリング１４により基部７の内周面との間がシールされている。Ｏリング１４は、支持体１１を基部７の内周面から浮かせた状態で弾性的に支持する。小径部１３の中心には挿通孔１５が貫通され、この挿通孔１５に対し内管１０が基部７側に連通する状態で固定されている。支持体１１は、基部７の周溝７ａに装着された止め部材１６によって基部７から抜けないように保持されている。
【００１２】
図２に示すように、内管１０には、吐水ヘッド９に接続された延出管としてのフレキシブル管１７が内管１０の中心軸線方向において摺動自在に装着されている。図３に示すように、フレキシブル管１７は、内側のゴムホース１８と、このゴムホース１８を覆う蛇腹管１９とからなり、このフレキシブル管１７の下端には、内管１０に対し水密状態で摺動する環状の摺動体２０が固定されている。
【００１３】
前記摺動体２０は略円柱状に形成され、その中心に設けられた挿通孔２２には内管１０が挿通されている。摺動体２０の挿通孔２２と内管１０との間は、挿通孔２２の内周面に設けられたリップパッキン２３によりシールされている。摺動体２０の吐水ヘッド９側には、フレキシブル管１７を固定するための凹部２４が設けられている。この凹部２４には、フレキシブル管１７のゴムホース１８に外嵌された外側固定環３１が固定され、この外側固定環３１の内側においてゴムホース１８の内側に内側固定環３２が挿入されている。この外側固定環３１及び内側固定環３２によってゴムホース１８の下端が凹部２４内に固定されている。そして、凹部２４の内周面に設けられたＯリング３３により、外側固定環３１と凹部２４との間がシールされている。また、蛇腹管１９は、外側固定環３１の吐水ヘッド９側の端部に外嵌する止め部材３４によって外側固定環３１に固定されている。
【００１４】
また、摺動体２０は、基部７及びホルダ８内の空間を、支持体１１と摺動体２０との間に形成される第１環状室Ａと、摺動体２０の他方に形成される第２環状室Ｂとに区画している。前記第１環状室Ａは、基部７に設けられた水抜き孔３５を通じて常時外気に連通されている。この水抜き孔３５は、ホルダ８内に入った水を外部に排水する。また、水抜き孔３５は、摺動体２０が内管１０に沿って移動するときに、第１環状室Ａに発生する負圧又は正圧ができるだけ大きくならないように形成されている。
【００１５】
図３及び図４に示すように、摺動体２０には、凹部２４の底から外周側に向かって径方向に延びる流路２５が設けられている。流路２５には、内管１０とフレキシブル管１７との間に形成されている水路２５ａを通じて水が供給される。流路２５は、摺動体２０の外周面に開口する穴２６の底面に連通されている。各穴２６は円柱状に形成され、その内側には、流路２５を閉塞するとともに径方向に変位可能な抵抗体としてのピストン２１が配設されている。
【００１６】
前記ピストン２１は、穴２６の内径よりも小径な胴部２７と、穴２６の内径とほぼ同径の頭部２８及び足部２９とを備え、頭部２８及び足部２９が穴２６の内周面に摺接する状態で径方向に変位する。胴部２７には、穴２６とピストン２１との間をシールするＯリング３０が装着されている。
【００１７】
次に、以上のように構成された本実施形態の作用について説明する。
吐水ヘッド９をホルダ８から引き出していくと、摺動体２０が内管１０の基端側から先端側に移動していく。このとき、摺動体２０の移動に伴って増大する第１環状室Ａには、水抜き孔３５と、基部７又はホルダ８の内周面と摺動体２０との間の隙間を通じて空気が供給されるので、この空間が負圧になり難く、摺動体２０の移動に対する抵抗が発生し難い。
【００１８】
水栓本体２から水が供給されると、内管１０とフレキシブル管１７との間に形成されている水路２５ａ及び摺動体２０の流路２５を通じて各穴２６に水が導入され、その圧力によって各ピストン２１が基部７又はホルダ８の内周面に押し付けられる。このため、各ピストン２１が受ける摩擦抵抗が摺動体２０の移動に対する抵抗となり、吐水ヘッド９がホルダ８から急激に押し出されることがない。なお、ピストン２１の数や外径を変更することで、水に対する受圧面積を調節し、摺動体２０が受ける抵抗力を変更することができる。この調節により、水圧が高く吐水ヘッド９が押し出される力が強いときには抵抗も強くなり、水圧が低く吐水ヘッド９が押し出される力が弱いときには抵抗も弱くなる。
【００１９】
以上詳述した本実施形態には、次の効果がある。
レバーハンドル５を操作して給水状態にすると、摺動体２０に設けた複数のピストン２１が水圧によって基部７及びホルダ８の内周面に押し付けられるので、吐水ヘッド９がホルダ８から急激に押し出されることがなくなり、吐水ヘッド９を引き出すときの使い勝手が向上する。
【００２０】
（第２実施形態）
次に、本発明を具体化した第２実施形態を図５及び図６に従って説明する。尚、本実施形態は、前記第１実施形態の摺動体２０を摺動体４０に代えたことと、この摺動体４０に抵抗体としての割りリング４７及びＯリング４８を設けたことと、水抜き孔３５をなくしたことのみが異なるので、摺動体４０，割りリング４７及びＯリング４８のみについて詳述する。
【００２１】
図５に示すように、本実施形態の摺動体４０は、基部７側の小径部４１と、吐水ヘッド９側の大径部４２とからなる。小径部４１の中心に設けられた挿通孔４３には内管１０が挿通され、この挿通孔４３の内周面に設けられたリップパッキン４４によって内管１０と小径部４１との間がシールされている。大径部４２はホルダ８の内径よりもやや小さい外径を有し、その吐水ヘッド９側には、フレキシブル管１７を固定するための凹部４５が設けられている。この凹部４５には、第１実施形態と同様の外側固定環３１，内側固定環３２及び止め部材３４によってフレキシブル管１７の一端が固定されている。
【００２２】
また、摺動体４０の大径部４２の外周面に周溝４６が設けられ、この周溝４６内には、基部７又はホルダ８の内周面に当接する割りリング４７が設けられている。割りリング４７は、摺動体４０の移動に伴って基部７及びホルダ８の内周面に摺接する。割りリング４７は、図６に示すように、１箇所が切断された環状部材であって、基部７及びホルダ８内の空間を第１環状室Ａと第２環状室Ｂとに区画するとともに、区画した両環状室Ａ，Ｂ同士を、切れ目４７ａに形成される狭い流路を通じてのみ連通させる。割りリング４７と摺動体４０との間は、周溝４６の底面に設けられたＯリング４８によってシールされている。Ｏリング４８は、割りリング４７を拡開するように付勢し、割りリング４７の外周面を基部７及びホルダ８の内周面に押し付けている。
【００２３】
以上のように構成された本実施形態には、次のような作用がある。
吐水ヘッド９をホルダ８から引き出していくと、基部７及びホルダ８内で割りリング４７によって区画されている第２環状室Ｂから第１環状室Ａに、割りリング４７の狭い流路を通じて空気が移動する。このとき、第２環状室Ｂから第１環状室Ａに移動する空気の量が割りリング４７の流路によって制限されるので、第１環状室Ａが負圧となり、摺動体４０の移動に対する抵抗が発生する。このため、多量の水を供給するようにレバーハンドル５が操作され、吐水ヘッド９側に供給される水の圧力が過大になっても、吐水ヘッド９が急激にホルダ８から押し出されることがない。なお、基部７に小さな水抜き孔を設けて、水抜き孔からの空気の流入量と割りリング４７の切れ目４７ａからの空気の流入量との合計にて空気の流入量を調節してもよい。
【００２４】
以上詳述した本実施形態には、次の効果がある。
摺動体４０に設けた割りリング４７によって摺動体４０が区画する両空間での空気の移動が制限されるので、吐水ヘッド９がホルダ８から急激に押し出されることがなくなり、引き出し時の使い勝手が向上する。
【００２５】
（第３実施形態）
次に、本発明を具体化した第３実施形態を図７に従って説明する。尚、本実施形態は、前記第２実施形態の割りリング４７及びＯリング４８の代わりに、リップパッキン５１を設けたことと、基部７に空気孔５２を設けたことのみが異なるので、リップパッキン５１及び空気孔５２についてのみ詳述する。
【００２６】
図７に示すように、本実施形態では、摺動体４０の大径部４２に設けられた周溝５３内に、基部７又はホルダ８と、摺動体４０との間をシールするリップパッキン５１が設けられている。リップパッキン５１は、基部７及びホルダ８内の空間を、第１環状室Ａと第２環状室Ｂとに気密状態で区画し、摺動体４０の移動に伴って基部７又はホルダ８の内周面に摺接する。
【００２７】
また、基部７には、摺動体４０によって区画された第１環状室Ａを外気に常時連通する空気孔５２が設けられている。この空気孔５２は第１実施形態の水抜き孔３５を兼ねている。空気孔５２は、摺動体４０が内管１０の基端側から先端側に移動するときに、第１環状室Ａに発生する負圧を一定程度まで大きくするようになっている。
【００２８】
以上のように構成された本実施形態には、次のような作用がある。
吐水ヘッド９をホルダ８から引き出していくと、基部７及びホルダ８内でリップパッキン５１によって気密状態で区画されている第１環状室Ａに、空気孔５２を通じて空気が導入される。このとき、空気孔５２によって、第１環状室Ａに導入される空気の量が制限されるので、第１環状室Ａが負圧となり、摺動体４０の移動に対する抵抗が発生する。このため、吐水ヘッド９側に供給される水の圧力が過大になっても、吐水ヘッド９が急激にホルダ８から引き出されることがない。
【００２９】
以上詳述した本実施形態には、次の効果がある。
摺動体４０に設けたリップパッキン５１及び空気孔５２によって、第１環状室Ａに流入する空気の移動が制限されるので、吐水ヘッド９がホルダ８から急激に押し出されることがなくなり、引き出し時の使い勝手が向上する。
【００３０】
（その他の実施形態）
次に、上記第１〜第３実施形態以外の実施形態を列記する。
・  前記第３実施形態で、図８に示すように、リップパッキン５１に代えてＯリング５４としてもよい。
・  吐水ヘッド９は、シャワー流のみのヘッド、あるいは、直流のみのヘッドであってもよい。
・  本発明の吐水機構を設けるキッチン用水栓は、キッチンカウンター上に取り付ける形式に限らず、壁面に取り付けるものであってもよい。また、キッチン用水栓に限らず、洗面台用、風呂用水栓等であってもよい。
【００３１】
以下、前記各実施形態から把握される技術思想をその効果とともに列記する。
（１）請求項１〜請求項４のいずれか一項に記載の水栓において、前記延出管は、可撓性を有することを特徴とする水栓。
（２）請求項１〜請求項４のいずれか一項に記載の水栓は、キッチン用混合水栓である。
【００３２】
【発明の効果】
請求項１〜請求項４に記載の発明によれば、摺動体に設けた抵抗体によって吐水ヘッドがホルダから急激に押し出されることがないので、吐水ヘッドが水栓周辺の物品に当たって破損することがない。
【図面の簡単な説明】
【図１】混合水栓を示す一部縦断面を含む側面図。
【図２】混合水栓を示す一部縦断面を含む側面図。
【図３】第１実施形態の水栓における要部を示す縦断面図。
【図４】摺動体及びピストンを示す一部断面を含む斜視図。
【図５】第２実施形態の水栓における要部を示す縦断面図。
【図６】摺動体及び割りリングを示す斜視図。
【図７】第３実施形態の水栓における要部を示す縦断面図。
【図８】第４実施形態の水栓における要部を示す縦断面図。
【図９】従来の混合水栓を示す一部縦断面を含む側面図。
【図１０】同じく側面図。
【符号の説明】
１                      水栓としての混合水栓
２                      水栓本体
６                      吐出流路
７                      基部
８                      外管としてのホルダ
９                      吐水具としての吐水ヘッド
１７                    延出管としてのフレキシブル管
２０，４０              摺動体
２１                    抵抗体としてのピストン
２５                    流路
４７                    抵抗体としての割りリング
４７ａ                  切れ目
５１                    抵抗体としてのリップパッキン
５２                    空気孔
５４                    抵抗体としてのＯリング
Ａ                      第１環状室
Ｂ                      第２環状室
【図１】
2005016215.tif 000003
【図２】
2005016215.tif 000004
【図３】
2005016215.tif 000005
【図４】
2005016215.tif 000006
【図５】
2005016215.tif 000007
【図６】
2005016215.tif 000008
【図７】
2005016215.tif 000009
【図８】
2005016215.tif 000010
【図９】
2005016215.tif 000011
【図１０】
2005016215.tif 000012